(57)【要約】【課題】  簡易な構成で被測定物に開けられた貫通孔の大きさ（直径や面積等）又は個数の良否を判定することができる貫通孔の検査装置を提供する。【解決手段】  被測定物４に開けられた貫通孔３の良否を判定する検査装置であって、被測定物４に密着して形成される測定室５に圧力変化を与える振動手段６と、この振動手段６による測定室５の圧力を検出する圧力センサ７と、この圧力センサ７の出力信号と振動手段６への駆動信号との位相差又は位相差変化量を算出する位相差算出手段１６と、予め基準となる貫通孔による前記位相差又は前記位相差変化量を基準値として記憶するメモリ１４と、位相差算出手段１６により算出された被測定物４の貫通孔３による位相差又は位相差変化量とメモリ１４に記憶された基準値を比較して被測定物４に開けられた貫通孔３の良否を判定する判定手段１７を備えた。【選択図】        図１
2011107072.tif 000002
【特許請求の範囲】
【請求項１】
被測定物に開けられた貫通孔の良否を判定する検査装置であって、被測定物に密着して形成される測定室に圧力変化を与える振動手段と、この振動手段による前記測定室の圧力を検出する圧力センサと、この圧力センサの出力信号と前記振動手段への駆動信号との位相差又は位相差変化量を算出する位相差算出手段と、予め基準となる貫通孔による前記位相差又は前記位相差変化量を基準値として記憶するメモリと、前記位相差算出手段により算出された被測定物の貫通孔による位相差又は位相差変化量と前記メモリに記憶された基準値を比較して被測定物に開けられた貫通孔の良否を判定する判定手段を備えたことを特徴とする貫通孔の検査装置。
【請求項２】
被測定物に開けられた貫通孔の大きさ又は個数の良否を判定する検査装置であって、被測定物に密着して形成される測定室に圧力変化を与える振動手段と、この振動手段による前記測定室の圧力を検出する圧力センサと、この圧力センサの出力信号と前記振動手段への駆動信号との位相差を算出する位相差算出手段と、予め基準となる貫通孔の大きさと前記位相差との関係式又は基準となる貫通孔の個数と前記位相差との関係式を記憶するメモリと、前記位相差算出手段により算出された被測定物の貫通孔による位相差と前記メモリに記憶された関係式を比較して被測定物に開けられた貫通孔の大きさ又は個数の推定又は良否を判定する判定手段を備えたことを特徴とする貫通孔の検査装置。
【請求項３】
請求項１又は２記載の貫通孔の検査装置において、前記振動手段への駆動信号が前記振動手段の振動部の変位を検出する変位センサの出力信号であることを特徴とする貫通孔の検査装置。
【請求項４】
被測定物に開けられた貫通孔の大きさ又は個数の良否を判定する検査装置であって、被測定物に密着して形成される前室に圧力変化を与えるスピーカと、このスピーカによる前記前室の圧力を検出する第１圧力センサと、前記スピーカの背面に形成される後室の圧力を検出する第２圧力センサと、第１圧力センサの出力信号と第２圧力センサの出力信号との位相差から位相差変化量を算出する位相差算出手段と、予め基準となる貫通孔の大きさと前記位相差変化量との関係式及び基準となる貫通孔の個数と前記位相差変化量との関係式を記憶するメモリと、前記位相差算出手段により算出された被測定物の貫通孔による位相差変化量と前記メモリに記憶された関係式を比較して被測定物に開けられた貫通孔の大きさ又は個数の推定又は良否を判定する判定手段を備えたことを特徴とする貫通孔の検査装置。
【請求項５】
請求項１乃至請求項４のいずれかに記載の貫通孔の検査装置において、前記測定室または前記前室にアタッチメントを装着することを特徴とする貫通孔の検査装置。
【発明の詳細な説明】
【技術分野】
【０００１】
本発明は、被測定物に開けられた貫通孔の大きさ（直径や面積等）又は個数の良否を判定する貫通孔の検査装置に関する。
【背景技術】
【０００２】
従来から、プリント基板などの製品に開けられ、めっきが施された貫通孔の大きさ（直径や面積等）を検査したり、製品に開けられた貫通孔の個数を検査したりして、製品に所望な品質の貫通孔が形成されているか否かを判定することが行われている。
【０００３】
そこで、被測定物に開けられた貫通孔の良否を検査する貫通孔の検査装置としては、ステージ上に載置された被測定物の貫通孔に平行に入射する平行光を照射する光照射手段と、この光照射手段により照射されて被測定物の貫通孔を通過する光の中から平行成分だけを検出する光検出手段と、この光検出手段からの検出信号に基づいて被測定物に所定の断面積の貫通孔が形成されているかどうかを判定する判定手段とを備える装置が知られている（例えば、特許文献１参照）。
【先行技術文献】
【特許文献】
【０００４】
【特許文献１】特開平４−２８２４３９号公報
【発明の概要】
【発明が解決しようとする課題】
【０００５】
しかし、特許文献１に記載の発明においては、光を用いているので光学系のメンテナンスに手間が掛かる。また、平行光を用いるのでセットアップが容易でない。プリント基板などのように複数の貫通孔がある場合には、孔毎に検査することになるので時間を要する。光を透過する材料で作製された被測定物や曲がった貫通孔などは検査することができない。
【０００６】
本発明は、従来の技術が有するこのような問題点に鑑みてなされたものであり、その目的とするところは、簡易な構成で被測定物に開けられた貫通孔の大きさ（直径や面積等）又は個数の良否を判定することができる貫通孔の検査装置を提供しようとするものである。
【課題を解決するための手段】
【０００７】
上記課題を解決すべく請求項１に係る発明は、被測定物に開けられた貫通孔の良否を判定する検査装置であって、被測定物に密着して形成される測定室に圧力変化を与える振動手段と、この振動手段による前記測定室の圧力を検出する圧力センサと、この圧力センサの出力信号と前記振動手段への駆動信号との位相差又は位相差変化量を算出する位相差算出手段と、予め基準となる貫通孔による前記位相差又は前記位相差変化量を基準値として記憶するメモリと、前記位相差算出手段により算出された被測定物の貫通孔による位相差又は位相差変化量と前記メモリに記憶された基準値を比較して被測定物に開けられた貫通孔の良否を判定する判定手段を備えたものである。
【０００８】
請求項２に係る発明は、被測定物に開けられた貫通孔の大きさ又は個数の良否を判定する検査装置であって、被測定物に密着して形成される測定室に圧力変化を与える振動手段と、この振動手段による前記測定室の圧力を検出する圧力センサと、この圧力センサの出力信号と前記振動手段への駆動信号との位相差を算出する位相差算出手段と、予め基準となる貫通孔の大きさと前記位相差との関係式又は基準となる貫通孔の個数と前記位相差との関係式を記憶するメモリと、前記位相差算出手段により算出された被測定物の貫通孔による位相差と前記メモリに記憶された関係式を比較して被測定物に開けられた貫通孔の大きさ又は個数の推定又は良否を判定する判定手段を備えたものである。
【０００９】
前記振動手段への駆動信号を、前記振動手段の振動部の変位を検出する変位センサの出力信号にすることができる。
【００１０】
また、請求項４に係る発明は、被測定物に開けられた貫通孔の大きさ又は個数の良否を判定する検査装置であって、被測定物に密着して形成される前室に圧力変化を与えるスピーカと、このスピーカによる前記前室の圧力を検出する第１圧力センサと、前記スピーカの背面に形成される後室の圧力を検出する第２圧力センサと、第１圧力センサの出力信号と第２圧力センサの出力信号との位相差から位相差変化量を算出する位相差算出手段と、予め基準となる貫通孔の大きさと前記位相差変化量との関係式及び基準となる貫通孔の個数と前記位相差変化量との関係式を記憶するメモリと、前記位相差算出手段により算出された被測定物の貫通孔による位相差変化量と前記メモリに記憶された関係式を比較して被測定物に開けられた貫通孔の大きさ又は個数の推定又は良否を判定する判定手段を備えたものである。
【００１１】
また、前記測定室または前記前室に、被測定物が小さい場合の対応策としてアタッチメントを装着することができる。
【発明の効果】
【００１２】
請求項１に係る発明によれば、予め、基準となる貫通孔による位相差又は位相差変化量を基準値として求めておくことによって、被測定物の貫通孔の大きさ又は貫通孔の個数が望ましいものであるか否かを検査することができる。光を透過する材料で作製された被測定物の貫通孔や曲がった貫通孔も検査することができる。
【００１３】
請求項２に係る発明によれば、予め、基準となる貫通孔の大きさと位相差又は貫通孔の個数と位相差の関係式を求めておくことによって、被測定物の貫通孔の大きさ又は貫通孔の個数が望ましいものであるか否かを検査することができる。また、被測定物の貫通孔の大きさ又は貫通孔の個数を推定することができる。光を透過する材料で作製された被測定物の貫通孔や曲がった貫通孔も検査又は推定することができる。
【００１４】
また、振動手段への駆動信号を、振動手段の振動部の変位を検出する変位センサの出力信号にすれば、より精度よく被測定物の貫通孔の大きさ又は貫通孔の個数を検査することができる。
【００１５】
請求項４に係る発明によれば、スピーカと圧力センサを用いた簡易な構成により、予め、基準となる貫通孔の大きさと位相差変化量又は基準となる貫通孔の個数と位相差変化量の関係式を求めておくことによって、被測定物の貫通孔の大きさ又は貫通孔の個数が望ましいものであるか否かを検査することができる。また、被測定物の貫通孔の大きさ又は貫通孔の個数を推定することができる。
【００１６】
また、測定室または前室にアタッチメントを装着すれば、測定室の開口や前室の開口より著しく小さい面積の被測定物でも、被測定物の貫通孔の大きさ又は貫通孔の個数が望ましいものであるか否かを検査することができる。また、被測定物の貫通孔の大きさ又は貫通孔の個数を推定することができる。
【図面の簡単な説明】
【００１７】
【図１】本発明に係る貫通孔の検査装置の第１実施の形態の構成図
【図２】１個の貫通孔が開けられた被測定物の平面図
【図３】本発明に係る貫通孔の検査装置の第１実施の形態による検査手順を示すフローチャート
【図４】本発明に係る貫通孔の検査装置の第２実施の形態の構成図
【図５】本発明に係る貫通孔の検査装置の第３実施の形態の構成図
【図６】貫通孔の直径と位相差変化量との関係を示す図
【図７】貫通孔の直径×個数と位相差変化量との関係を示す図
【図８】４種の貫通孔の直径×個数と位相差変化量との関係を示す図
【図９】アタッチメントを装着した検出部の説明図
【発明を実施するための形態】
【００１８】
以下に本発明の実施の形態を添付図面に基づいて説明する。本発明に係る貫通孔の検査装置の第１実施の形態は、図１に示すように、検出部１と装置本体２からなる。検出部１には、貫通孔３を開けた被測定物４に密着することにより形成される測定室５と、測定室５に圧力変化を与える振動手段（加振器）６と、振動手段６による測定室５の圧力を検出する圧力センサ７を設けている。検出部１の外観形状は円柱形状でも四角柱形状でもよく、特定の形状に限定されない。
【００１９】
測定室５を形成する検出部１の端部には、環状の弾性部材８が設けられ、貫通孔３を囲むよう弾性部材８を被測定物４に密着させている。また、測定室５の側壁には、測定室５の内部圧と大気圧との平衡をとるためのバルブ９が設けられ、測定前に開き、測定時には閉状態にされる。振動手段６は振動部６ａを変位させることにより、測定室５内の圧力を変化させることができる。
【００２０】
装置本体２には、各種の信号処理を行う信号処理部１１と、振動手段６に駆動信号を与える発振器１２と、信号処理部１１による判定結果などを表示する表示部１３と、信号処理部１１との間でやり取りする各種データを記憶するメモリ１４と、圧力センサ７の出力信号を増幅する増幅器１５などを設けている。メモリ１４には、予め基準となる貫通孔の大きさ（直径や面積等）と位相差との相関を表わす関係式及び基準となる貫通孔の個数と位相差との相関を表わす関係式などが記憶されている。
【００２１】
また、信号処理部１１は、圧力センサ７の出力信号と振動手段６への駆動信号との位相差を算出する位相差算出手段１６と、位相差算出手段１６により算出された被測定物４の貫通孔３による位相差とメモリ１４に記憶された関係式を比較して被測定物４に開けられた貫通孔３の大きさ（直径や面積等）又は個数の良否を判定する判定手段１７などを備えている。
【００２２】
以上のように構成された本発明に係る貫通孔の検査装置の第１実施の形態による検査手順を、図２に示す１個の貫通孔３が開けられた被測定物４を対象とし、その貫通孔３の大きさを表す指標として、直径を用いて貫通孔３の良否を判定する場合について、図３に示すフローチャートにより説明する。
【００２３】
始めに基準貫通孔の直径と位相差との相関を表わす関係式を求める予備測定を行う。先ず、直径が異なる基準貫通孔を持つ４種類の被測定物を用意する。例えば、厚みが２ｍｍの平板材に開けられた直径が０．２２ｍｍ、０．２７ｍｍ、０．２９ｍｍ、０．３２ｍｍである基準貫通孔について測定する。先ず、ステップＳＰ１において、基準となる被測定物を治具などにセットし、基準貫通孔を囲むようにして検出部１を被測定物に密着させる。
【００２４】
次いで、ステップＳＰ２において、振動手段６に駆動信号を与え、圧力センサ７の出力信号と振動手段６への駆動信号との位相差を位相差算出手段１６で算出する。同様に、他の３種類の基準貫通孔についても位相差を求める。次いで、ステップＳＰ３において、基準貫通孔の４種類の直径と位相差算出手段１６が算出した位相差との相関を表わす関係式を判定手段１７が求める。ここでの関係式（基準貫通孔の直径と位相差）は、一次関数で表わせる。
【００２５】
次いで、ステップＳＰ４において、ステップＳＰ３で求めた基準貫通孔の４種類の直径と位相差算出手段１６が算出した位相差との相関を表わす関係式をメモリ１４に記憶する。以上で基準貫通孔の直径と位相差との相関を表わす関係式を求める予備測定が終了する。
【００２６】
次いで、ステップＳＰ５において、検査対象となる被測定物４を治具などにセットし、貫通孔３を囲むようにして検出部１を被測定物４に密着させる。次いで、ステップＳＰ６において、振動手段６に駆動信号を与え、圧力センサ７の出力信号と振動手段６への駆動信号との位相差を位相差算出手段１６で算出する。
【００２７】
次いで、ステップＳＰ７において、判定手段１７が位相差算出手段１６により算出された被測定物４の貫通孔３による位相差と、メモリ１４に記憶されている基準貫通孔の直径と位相差との関係式を比較して、被測定物４に開けられた貫通孔３の直径を求めると共に、許容範囲（例えば、０．２７ｍｍ±０．０２ｍｍ）を考慮して貫通孔３の良否を判定する。
【００２８】
次いで、ステップＳＰ８において、判定手段１７により求めた基準貫通孔の直径と位相差との関係式、許容範囲、被測定物４の貫通孔３の直径、貫通孔３の良否などの判定結果を表示部１３により表示する。以上で、貫通孔３が開けられた被測定物４の検査が終了する。
【００２９】
本発明の第１実施の形態では、圧力センサ７の出力信号と振動手段６への駆動信号との位相差を算出したが、図４に示すように、振動手段６の振動部６ａに変位センサ１８を取り付け、圧力センサ７の出力信号と変位センサ１８の出力信号との位相差を位相差算出手段１６により算出することもできる。
【００３０】
このように、振動手段６への駆動信号の替わりに振動手段６の振動部６ａの変位を検出する変位センサ１８の出力信号を用いれば、より精度よく被測定物４の貫通孔３の直径又は貫通孔の個数の良否を検査することができる。１９は変位センサ１８の出力信号を増幅する増幅器である。
【００３１】
本発明に係る貫通孔の検査装置の第３実施の形態は、図５に示すように、検出部２１と装置本体２２からなる。検出部２１には、被測定物４に密着して形成される前室２３と、前室２３に圧力変化を与えるスピーカ２４と、スピーカ２４による前室２３の圧力を検出する第１圧力センサ２５と、スピーカ２４の背面に形成され前室２３と隔壁を介して隣り合う後室２６と、後室２６の圧力を検出する第２圧力センサ２７を設けている。検出部２１の外観形状は円柱形状でも四角柱形状でもよく、特定の形状に限定されない。
【００３２】
また、前室２３を形成する検出部２１の端部には、環状の弾性部材２８が設けられ、貫通孔３を囲むよう弾性部材２８を被測定物４に密着させている。また、前室２３及び後室２６の各側壁には、前室２３及び後室２６の内部圧と大気圧との平衡をとるためのバルブ２９，３０が設けられ、測定前に開閉する。バルブ２９，３０は測定時に閉状態にされる。
【００３３】
装置本体２２には、各種の信号処理を行う信号処理部３１と、隔壁に配置されたスピーカ２４に駆動信号を与える発振器３２と、信号処理部３１による判定結果などを表示する表示部３３と、信号処理部３１との間でやり取りする各種データを記憶するメモリ３４と、圧力センサ２５，２７の出力信号を増幅する増幅器３５，３６などを設けている。メモリ３４には、予め基準となる貫通孔の直径と位相差変化量との相関を表わす関係式及び基準となる貫通孔の個数と位相差変化量との相関を表わす関係式などが記憶されている。
【００３４】
また、信号処理部３１は、第１圧力センサ２５の出力信号と第２圧力センサ２７の出力信号との位相差変化量を算出する位相差算出手段３７と、位相差算出手段３７により算出された被測定物４の貫通孔３による位相差変化量とメモリ３４に記憶された関係式を比較して被測定物４に開けられた貫通孔３の大きさ又は個数の良否を判定する判定手段３８などを備えている。
【００３５】
以上のように構成された本発明に係る貫通孔の検査装置の第３実施の形態において、図２に示すように、１個の貫通孔３が開けられた被測定物４を検査対象とし、その貫通孔３の大きさを表す指標として、直径を用いて貫通孔３の良否を判定する場合について説明する。検査手順は、第１実施の形態の場合とほぼ同様である。
【００３６】
図３に示す本発明の第１実施の形態と同様に、始めに基準貫通孔の直径と位相差変化量との相関を表わす関係式を求める予備測定を行う。先ず、直径が異なる基準貫通孔を持つ４種類の被測定物と貫通孔のない被測定物を１つ用意する。例えば、直径が０．２２ｍｍ、０．２７ｍｍ、０．２９ｍｍ、０．３２ｍｍである基準貫通孔を持つ厚さ２ｍｍの平板材と貫通孔のない厚さ２ｍｍの平板材について、夫々２回ずつ測定する。
【００３７】
すると、図６に示すような関係式が求まる。横軸が貫通孔の直径（ｍｍ）、縦軸が位相差変化量（ｄｅｇ）である。ここで、位相差変化量とは、測定位相差から基準位相差を減算したもの（位相差変化量＝測定位相差−基準位相差）である。
【００３８】
測定位相差とは、基準貫通孔を持つ被測定物を前室２３に密着してスピーカ２４を駆動させた時の前室２３の圧力（第１圧力センサ２５の出力信号）と後室２６の圧力（第２圧力センサ２７の出力信号）との位相差をいう。基準位相差とは、貫通孔のない平板材を前室２３に密着してスピーカ２４を駆動させた時の前室２３の圧力（第１圧力センサ２５の出力信号）と後室２６の圧力（第２圧力センサ２７の出力信号）との位相差をいう。
【００３９】
貫通孔の直径（ｍｍ）と位相差変化量（ｄｅｇ）の関係は、一次関数で表わされる。基準貫通孔の４種類の直径と圧力センサ２５，２７の出力信号から位相差算出手段３７が算出した位相差変化量との相関を表わす関係式は、メモリ３４に記憶される。
【００４０】
次いで、検査対象となる被測定物４を治具などにセットし、貫通孔３を囲むようにして検出部２１を被測定物４に密着させる。次いで、スピーカ２４に駆動信号を与え、第１圧力センサ２５の出力信号と第２圧力センサ２７の出力信号との位相差及び基準位相差から位相差変化量を位相差算出手段３７で算出する。
【００４１】
なお、第１・２実施の形態の位相差算出手段１６では位相差を算出するが、ここでは位相差算出手段３７は位相差変化量を算出する。また、第１・２実施の形態の位相差算出手段１６で、位相差の代わりに位相差変化量を用いてもよい。
【００４２】
次いで、判定手段３８が位相差算出手段３７により算出された検査対象となる被測定物４の貫通孔３による位相差変化量と、メモリ３４に記憶されている図６に示す基準貫通孔の直径と位相差変化量との関係式を比較して、検査対象となる被測定物４に開けられた貫通孔３の直径を求めると共に、許容範囲（例えば、０．２７ｍｍ±０．０２ｍｍ）を考慮して貫通孔３の良否を判定する。判定結果は、表示部３３に表示される。
【００４３】
次に、１個〜３個の同じ直径の貫通孔３が開けられた被測定物４を対象とし、開けられた貫通孔３の個数の良否を判定する場合について説明する。先ず、１個の貫通孔３が開けられた被測定物４を検査対象とする場合と同様に、始めに基準貫通孔の個数と位相差変化量との相関を表わす関係式を求める予備測定を行う。例えば、直径が０．２２ｍｍの基準貫通孔が、１個〜３個の３種類の厚さ２ｍｍの平板材及び貫通孔のない厚さ２ｍｍの平板材について測定する。
【００４４】
すると、図７に示すような関係式が求まる。横軸が貫通孔の直径×個数（ｍｍ）、縦軸が位相差変化量（ｄｅｇ）である。貫通孔の個数と位相差変化量（ｄｅｇ）の関係は、一次関数で表わされる。基準貫通孔の直径×個数と圧力センサ２５，２７の出力信号から位相差算出手段３７が算出した位相差変化量との相関を表わす関係式は、メモリ３４に記憶される。
【００４５】
次いで、検査対象となる被測定物４を治具などにセットし、貫通孔３を囲むようにして検出部２１を被測定物４に密着させる。次いで、スピーカ２４に駆動信号を与え、第１圧力センサ２５の出力信号と第２圧力センサ２７の出力信号との位相差及び基準位相差から位相差変化量を位相差算出手段３７で算出する。
【００４６】
次いで、判定手段３８が位相差算出手段３７により算出された検査対象となる被測定物４の貫通孔３による位相差変化量と、メモリ３４に記憶されている図７に示す基準貫通孔の直径×個数と位相差変化量との関係式を比較して、検査対象となる被測定物４に開けられた貫通孔３の直径×個数を求めると共に、許容範囲（例えば、０．４４ｍｍ±０．０５ｍｍであれば、直径０．２２ｍｍの貫通孔が２個）を考慮して貫通孔３の直径×個数の良否を判定する。判定結果は、表示部３３に表示される。
【００４７】
次に、貫通孔３の直径が４種類で、その個数が１個〜３個である被測定物４を対象とし、開けられた貫通孔３の直径と個数の良否を判定する場合について説明する。先ず、１個の貫通孔３が開けられた被測定物４を検査対象とする場合と同様に、始めに基準貫通孔の直径×個数と位相差変化量との相関を表わす関係式を求める予備測定を行う。
【００４８】
例えば基準貫通孔の直径を０．２２ｍｍ、０．２７ｍｍ、０．２９ｍｍ、０．３２ｍｍの４種類とし、夫々の基準貫通孔の個数が１個〜３個の１２種類の厚さ２ｍｍの平板材及び貫通孔のない厚さ２ｍｍの平板材について測定する。
【００４９】
すると、図８に示すような関係式が求まる。横軸が貫通孔の直径×個数（ｍｍ）、縦軸が位相差変化量（ｄｅｇ）である。直線Ａは４種類の基準貫通孔の個数が夫々１個の場合、直線Ｂは４種類の基準貫通孔の個数が夫々２個の場合、直線Ｃは４種類の基準貫通孔の個数が夫々３個の場合である。貫通孔の直径×個数と位相差変化量（ｄｅｇ）の関係も、ある範囲では一次関数で表わされる。これらの関係式は、メモリ３４に記憶される。
【００５０】
次いで、検査対象となる被測定物４を治具などにセットし、検査対象となる貫通孔３を囲むようにして検出部２１を被測定物４に密着させる。次いで、スピーカ２４に駆動信号を与え、第１圧力センサ２５の出力信号と第２圧力センサ２７の出力信号との位相差及び基準位相差から位相差変化量を位相差算出手段３７で算出する。
【００５１】
次いで、判定手段３８が位相差算出手段３７により算出された検査対象となる被測定物４の貫通孔３による位相差変化量と、メモリ３４に記憶されている図８に示す基準貫通孔の直径×個数と位相差変化量との関係式を比較して、被測定物４に開けられた貫通孔３の直径×個数を求めると共に、許容範囲を考慮して貫通孔３の直径と個数の良否を判定する。判定結果は、表示部３３に表示される。
【００５２】
このように、予め基準となる貫通孔の直径と個数を変えて、その時の位相差変化量を測定し、貫通孔の直径×個数と位相差変化量との相関を表わす関係式を求めておくことにより、両面エッチングのマスク位置ズレによる不良品やプリント基板の貫通孔の直径又は個数の加工ミスやメッキ厚のミスなどの不良品を判別することができる。
【００５３】
また、筐体内に彎曲した管などを配設し、内部が見えないような被測定物でも、正常品の位相差又は位相差変化量を測定し、これを基準値としておき、この基準値と被測定物の位相差又は位相差変化量を比較することにより被測定物の良否を判別することができる。更に、多孔質材からなる被測定物でも、多孔質の通気度合いにより位相差又は位相差変化量が異なるので、多孔質の良否を判別することもできる。
【００５４】
図９に示すように、前室２３の開口２３ａよりも著しく小さい面積の被測定物４には、アタッチメント４０を前室２３に装着し、アタッチメント４０で被測定物４の貫通孔３を囲むようにすることができる。４１は被測定物４に密着させるための環状の弾性部材である。また、図１に示す第１実施の形態においても、アタッチメント４０を測定室５に装着することができる。
【００５５】
アタッチメント４０の検出部２１への装着方法は、ネジ固定方式・圧入方式・スナップフィット方式等々を用いればよい。アタッチメント４０の中継部４０ａに、フレキシブルな材料を用いれば、アタッチメント４０の先端部の向きや位置を自在に変更することが可能になり、測定作業が容易となる。
【産業上の利用可能性】
【００５６】
本発明によれば、予め、基準となる貫通孔の大きさ（直径や面積等）と位相差又は位相差変化量から得られる基準値や相関を表わす関係式又は貫通孔の個数と位相差又は位相変化量から得られる基準値や相関を表わす関係式を求めておくことによって、被測定物の貫通孔の大きさ（直径や面積等）又は貫通孔の個数が望ましいものであるか否かを簡易に検査することができるので、生産ラインにおける貫通孔の良否判定作業への利用拡大が期待される。
【符号の説明】
【００５７】
１，２１…検出部、２，２２…装置本体、３…貫通孔、４…被測定物、５…測定室、６…振動手段、６ａ…振動部、７…圧力センサ、８，２８…弾性部材、９，２９，３０…バルブ、１１，３１…信号処理部、１２，３２…発振器、１３，３３…表示部、１４，３４…メモリ、１６，３７…位相差算出手段、１７，３８…判定手段、１８…変位センサ、２３…前室、２４…スピーカ、２５…第１圧力センサ、２６…後室、２７…第２圧力センサ、４０…アタッチメント。
【図１】
2011107072.tif 000003
【図２】
2011107072.tif 000004
【図３】
2011107072.tif 000005
【図４】
2011107072.tif 000006
【図５】
2011107072.tif 000007
【図６】
2011107072.tif 000008
【図７】
2011107072.tif 000009
【図８】
2011107072.tif 000010
【図９】
2011107072.tif 000011